(57)【要約】【課題】廃棄する際に、より簡単に平らにすることが可能な、物品の収納用又は緩衝用部材の部材構造を提供すること。【解決手段】物品の収納用又は緩衝用部材の部材構造であって、前面部１０、後面部２０、上面部３０、及び下面部４０を有する角筒状部材３と、下面部４０の外面側に沿って配置された状態で、角筒状部材３に連結された基面部１２０と、基面部１２０の一部が切り起こされて形成され、その先端に切り欠き部５１が設けられた差込部材５０とを備え、前面部１０に、第１の開口部１１が形成され、差込部材５０は、第１の開口部１１から角筒状部材３内に差し込まれている、部材構造である。【選択図】図３
2010149872.tif 000002
【特許請求の範囲】
【請求項１】
物品の収納用又は緩衝用部材の部材構造であって、
前面部、後面部、上面部、及び下面部を有する角筒状部材と、
前記下面部の外面側に沿って配置された状態で、前記角筒状部材に連結された基面部と、
前記基面部の一部が切り起こされて形成され、その先端に切り欠き部が設けられた差込部材とを備え、
前記前面部に、第１の開口部が形成され、
前記差込部材は、前記第１の開口部から前記角筒状部材内に差し込まれている、部材構造。
【請求項２】
物品の収納用又は緩衝用部材の部材構造であって、
前面部、後面部、上面部、及び下面部を有する角筒状部材と、
前記下面部の外面側に沿って配置された状態で、前記角筒状部材に連結された基面部と、
前記基面部の一部が切り起こされて形成された差込部材とを備え、
前記前面部に、第１の開口部が形成され、
前記差込部材は、前記第１の開口部から前記角筒状部材内に差し込まれており、
前記後面部の、前記第１の開口部と対向する部分に、第２の開口部が形成されている、部材構造。
【請求項３】
前記差込部材は、少なくとも先端の幅が、前記第１の開口部の幅よりも広くなるように形成されている、請求項１又は２記載の部材構造。
【請求項４】
前記差込部材は、前記第１の開口部の前側近傍であって前記前面部と実質上平行に形成された根元部を残して、その根元部より後方側又は前方側が切り起こされて形成されている、請求項１又は２記載の部材構造。
【請求項５】
前記第１の開口部は、前記前面部から、少なくとも前記上面部の一部にわたって形成されている、請求項１又は２記載の部材構造。
【請求項６】
前記基面部、前記後面部、前記上面部、前記前面部、及び前記下面部の順に、前記各部は繋がっており、
１枚の部材が折り曲げられて、前記基面部、前記後面部、前記上面部、前記前面部、及び前記下面部が形成されている、請求項１〜５のいずれかに記載の部材構造。
【発明の詳細な説明】
【技術分野】
【０００１】
本発明は、物品の収納用又は緩衝用部材の部材構造に関する。
【背景技術】
【０００２】
従来、例えば、画像形成装置に用いる各種部品の梱包には、緩衝材として発泡スチロール塊などを梱包箱に詰め込んでいた。しかしながら、発泡スチロールなどは、焼却時に有害物質が発生するといった問題があり、環境保全上好ましくないものであった。
【０００３】
そのため、近年発泡スチロールを用いないか、又は用いたとしても使用量が極力少ない梱包部材が要求されている。
【０００４】
このような梱包部材として、段ボールを利用して、緩衝効果を得ることが可能な種々の構造が提案されている。
【０００５】
図１５は、従来の梱包部材の構造を示す図である。図１５に示すように、例えば、外箱２０００の内側に物品３０００が載置された収納部材１０００が収納される構成となっている。この収納部材１０００は、物品３０００が載置される載置面１３００と、一組の対向する側壁１１００を有しており、この側壁１１００に、緩衝効果を得る構造が用いられている。
【０００６】
図１６は、側壁１１００の拡大図である。又、図１７は、側壁１１００の展開図である。図１６及び図１７に示すように、側壁１１００は、角筒状に配置された前面部１１１０、後面部１１２０、上面部１１３０、及び下面部１１４０を備えている。そして、下面部１１４０は、物品３０００が載置される載置面１３００を構成する板状の基面部１２００の上側に配置されている。
【０００７】
また、基面部１２００の一部が切り起こされることによって、差込部材１５００が形成されている。この差込部材１５００は、後面部１１２０側に向かって幅が除々に広くなっており、前面部１１１０に形成された開口部１１１１に挿入されている。図１６及び図１７に示すように、差込部材１５００の先端１５００ａの幅Ｗは、根元部１５００ｂの幅Ｗよりも広くなっている。更に、開口部１１１１の幅Ｙは、根元部１５００ｂの幅とほぼ同じ長さとなっている。そのため、差込部材１５００を開口部１１１１に挿入することによって、開口部１１１１と差込部材１５００との間で摩擦が生じ、角筒状を保持することが出来る。尚、この角筒状をより強固に保持するために、開口部１１１１と差込部材１５００の組が複数組設けられた構成も用いられている。
【０００８】
このような構成により、輸送時等に物品が前面部１１１０に衝突したとしても、前面部１１１０、後面部１１２０、上面部１１３０、及び下面部１１４０によって形成される角筒状内部の空間によって緩衝効果が働き、物品が保護される。
【発明の開示】
【発明が解決しようとする課題】
【０００９】
しかしながら、収納部材を廃棄する場合、嵩張らないように側壁を潰し平らにするが、従来の構造では、差込部材１５００を開口部１１１１から引き抜き難いものであり、特に複数組設けられている場合には、引き抜いて平らにするには非常に手間がかかるものであった。
【００１０】
本発明は、上記従来の構造の課題を考慮し、廃棄する際に、より簡単に平らにすることが可能な、物品の収納用又は緩衝用部材の部材構造を提供することを目的とする。
【課題を解決するための手段】
【００１１】
上記目的を達成するために、第１の本発明は、
物品の収納用又は緩衝用部材の部材構造であって、
前面部、後面部、上面部、及び下面部を有する角筒状部材と、
前記下面部の外面側に沿って配置された状態で、前記角筒状部材に連結された基面部と、
前記基面部の一部が切り起こされて形成され、その先端に切り欠き部が設けられた差込部材とを備え、
前記前面部に、第１の開口部が形成され、
前記差込部材は、前記第１の開口部から前記角筒状部材内に差し込まれている、部材構造である。
【００１２】
又、第２の本発明は、
物品の収納用又は緩衝用部材の部材構造であって、
前面部、後面部、上面部、及び下面部を有する角筒状部材と、
前記下面部の外面側に沿って配置された状態で、前記角筒状部材に連結された基面部と、
前記基面部の一部が切り起こされて形成された差込部材とを備え、
前記前面部に、第１の開口部が形成され、
前記差込部材は、前記第１の開口部から前記角筒状部材内に差し込まれており、
前記後面部の、前記第１の開口部と対向する部分に、第２の開口部が形成されている、部材構造である。
【００１３】
又、第３の本発明は、
前記差込部材は、少なくとも先端の幅が、前記第１の開口部の幅よりも広くなるように形成されている、第１又は第２の本発明の部材構造である。
【００１４】
又、第４の本発明は、
前記差込部材は、前記第１の開口部の前側近傍であって前記前面部と実質上平行に形成された根元部を残して、その根元部より後方側又は前方側が切り起こされて形成されている、第１又は第２の本発明の部材構造である。
【００１５】
又、第５の本発明は、
前記第１の開口部は、前記前面部から、少なくとも前記上面部の一部にわたって形成されている、第１又は第２の本発明の部材構造である。
【００１６】
又、第６の本発明は、
前記基面部、前記後面部、前記上面部、前記前面部、及び前記下面部の順に、前記各部は繋がっており、
１枚の部材が折り曲げられて、前記基面部、前記後面部、前記上面部、前記前面部、及び前記下面部が形成されている、第１〜５のいずれかの本発明の部材構造である。
【発明の効果】
【００１７】
本発明によれば、廃棄する際に、より簡単に平らにすることが可能な、物品の収納用又は緩衝用部材の部材構造を提供することが出来る。
【発明を実施するための最良の形態】
【００１８】
本発明にかかる実施の形態について図面を参照しながら説明する。
【００１９】
（実施の形態１）
以下に、本発明にかかる実施の形態１における収納部材について説明すると共に、本発明の部材構造の一例についても同時に述べる。
【００２０】
図１は、本発明にかかる実施の形態１の収納部材１００と、収納部材１００が収められる外箱２００の外観図である。この外箱２００は直方体形状である。また、これら収納部材１００及び外箱２００は、いずれも段ボールによって形成されている。
【００２１】
図１に示すように、物品３００が、収納部材１００に形成されている載置面１１０に載置されて、外箱２００に収納される。そして、上蓋２１０が閉じられて、物品３００は梱包される。
【００２２】
本実施の形態１の収納部材１００は、載置面１１０と、載置面１１０と垂直に配置された対向する２つの側壁１を有している。
【００２３】
この２つの側壁１は、それぞれ本発明の部材構造の一例に対応する。
【００２４】
図２（ａ）、（ｂ）、（ｃ）は、本実施の形態１の収納部材１００の正面図、平面図、及び右側面図である。又、図２（ｄ）は、図２（ｂ）のＸＸ´間の断面図である。図３は、本実施の形態１の収納部材１００の側壁１の拡大図である。
【００２５】
図２及び図３に示すように、側壁１は、角筒状部材３を備えており、この角筒状部材３は、板状且つ矩形状の基面部１２０上に配置されている。
【００２６】
基面部１２０の中央をＯとし、その中央Ｏから側壁１を見て、角筒状部材３は、前側に配置された前面部１０と、前面部１０に対向して後側に配置された後面部２０と、前面部１０の上端と後面部２０の上端の間に配置された上面部３０と、前面部１０の下端と後面部２０の下端の間に配置された下面部４０とを有している。この下面部４０の外面４０ａ側に沿って、上述した基面部１２０が配置されており、基面部１２０は、角筒状部材３の後面部２０と連結されている。また、上述した載置面１１０は、２つの対向する側壁１の間の基面部１２０によって形成されていることになる。尚、上記前側とは、図２、３中矢印Ｆで示され、後側とは図中矢印Ｅで示されている。以下の説明においても、同様に中央Ｏから見て前側を矢印Ｆで表し、後側を矢印Ｅで表している。
【００２７】
このように、側壁１は、前面部１０、後面部２０、上面部３０、下面部４０、及び基面部１２０の一部によって形成される。尚、基面部１２０の一部とは、下面部４０の下側近傍部分に相当する。
【００２８】
図２及び図３に示すように、前面部１０には、その長手方向中央近傍に上端から下端まで矩形状の開口部１１が形成されている。上面部３０には、開口部１１と連接した半円形状の開口部３１が形成されている。また、基面部１２０の一部を切り起こすことによって形成された差込部材５０が、開口部１１に挿入されている。
【００２９】
この差込部材５０は、図２及び図３に示すように、後側（矢印Ｅ方向）に向かって幅が広くなるような等脚台形形状に形成されている。この差込部材５０の根元部５０ｂは、前面部１０と平行に設けられている。又、先端部５０ａには、半円形状の切り欠き部５１が形成されている。尚、差込部材５０については、以下の図４において更に詳しく説明する。
【００３０】
尚、本発明の少なくとも上面部の一部にわたって形成されている第１の開口部の一例は、本実施の形態の開口部１１と、それに繋がっている開口部３１に相当する。又、本発明の、根元部を残して、その根元部より後方側が切り起こされて形成された差込部材の一例は、本実施の形態の差込部材５０に相当する。
【００３１】
次に、上述した構成の本実施の形態１の収納部材１００の作製方法について説明する。
【００３２】
図４は、収納部材１００の展開図である。収納部材１００は、図４に示すように、型によって切り抜かれて形成された一枚の矩形状のダンボール紙から形成されるものである。図４中、点線部分は折り目を示している。なお、図４では、作製された後の各構成に対応する位置に符号が付されている。
【００３３】
図４の展開図では、矩形状の基面部１２０の対向する辺の両側に後面部２０、上面部３０、前面部１０、及び下面部４０が配置されている。
【００３４】
上述したように差込部材５０は、後面部２０に向けて幅Ｗが広くなる等脚台形形状になるように、基面部１２０に設けられた切り込み１２１によって形成されている。この台形形状の平行な一組の辺は、基面部１２０、後面部２０、上面部３０、前面部１０及び下面部４０の境界を示す折り目（図中点線参照）と平行である。
【００３５】
又、差込部材５０の先端部５０ａは、台形の一組の平行な辺のうちの長辺に相当し、基面部１２０と後面部２０の境界近傍に配置されている。又、差込部材５０の根元部５０ｂは、台形の一組の平行な辺のうちの短辺に相当し、図３に示すように側壁１の状態に組み立てられた時に、開口部１１の前側近傍に配置されるように形成されている。
【００３６】
図５は、側壁１を組み立てる動作の途中を示している図である。図５に示すように、差込部材５０を基面部１２０から切り起こした状態で、後面部２０、上面部３０、前面部１０、及び下面部４０が角筒状に配置されるように図４に示す点線に沿ってダンボール紙が折り曲げられる。尚、図５には、差込部材５０が切り起こされた後の空間１２２が図示されており、下面部４０の下側に配置されることになる。また、この空間１２２は、前面部１０側から後面部２０側に向かって除々に幅が広くなる等脚台形状である。
【００３７】
続いて、下面部４０が基面部１２０上に配置されるように後面部２０、上面部３０、前面部１０、及び下面部４０が矢印Ａ方向に回動される。そして、矢印Ｂに示すように、開口部１１に差込部材５０が差し込まれる。
【００３８】
ここで、図４に示すように差込部材５０の根元部５０ｂの幅Ｗは、開口部１１の幅Ｙとほぼ同じであり、先端部５０ａの幅Ｗは、開口部１１の幅Ｙよりも広くなっている。このため、差込部材５０の周縁と、開口部１１の周縁との摩擦によって、角筒形状が保持されることになる（図３中Ｐ参照）。
【００３９】
そして、この前面部１０、上面部３０、後面部２０及び下面部４０の内側に形成される空間によって、輸送等の際に物品３００が前面部１０に衝突したとしても衝撃が緩和され、物品の破損を低減することが出来る。
【００４０】
次に、収納部材１００を廃棄する際について説明する。
【００４１】
収納部材１００を破棄する際には、側壁１の角筒形状の保持状態を開放し、図４の展開図のような平らな状態とすることにより、嵩張らずに積み重ねることが出来る。このとき、本実施の形態１の収納部材１００では、図６に示すように、上面部３０に開口部３１が形成されていることにより角筒状部材３の内部に指を挿入しやすく、更に、差込部材５０の切り欠き部５１の縁に指を引っかけることが出来るため、差込部材５０を開口部１１から引き抜きやすい（図６中矢印Ｃ参照）。このため、側壁１の保持状態を開放しやすく、従来と比較して、廃棄する際により簡単に平らにすることが可能となる。
【００４２】
尚、本実施の形態では、開口部３１は半円形状であったが、この形状に限られなくてもよく、要するに角筒状部材３の内側に指を挿入しやすくすることが出来ればよい。
【００４３】
又、指の挿入が少し行いにくくなるが、上面部３０に開口部３１が設けられていなくても良い。この場合であっても、従来と比較すると、切り欠き部５１が設けられていることによって差込部材５０は引き抜きやすくなる。
【００４４】
又、図４の展開図に示すように、本実施の形態では中央Ｏから見て、先端部５０ａが根元部５０ｂよりも後方側に位置するように差込部材５０が形成されているが、開口部１１に挿入することが出来さえすれば、差込部材５０が形成される方向及び位置は限定されるものではない。例えば、図７及び図８に示すように、本実施の形態とは反対方向に差込部材５０を形成してもよい。尚、図７は収納部材１００の展開図であり、図８は収納部材１００の側壁１の拡大図である。反対方向とは、根元部５０ｂ´の位置が本実施の形態の根元部５０ｂと実質上同じで、先端部５０ａ´が根元部５０ｂ´よりも基面部１２０の中央Ｏ側になるように切り込み１２１´をいれて差込部材５０´を形成することである。この場合、図８の矢印Ｄに示すように、その差込部材５０´を折り返すことによって、差込部材５０´が開口部１１に挿入される。ここで、差込部材５０´が切り起こされた後の空間１２２´は、上述したように下面部４０の下側には配置されず、載置面１１０に形成されることになる。尚、この差込部材５０´が、本発明の、根元部を残して、その根元部より前方側が切り起こされて形成された差込部材の一例に相当する。
【００４５】
（実施の形態２）
以下に、本発明にかかる実施の形態２の収納部材について説明するとともに本発明の部材構造の一例についても同時に述べる。
【００４６】
本実施の形態２の収納部材５００は、実施の形態１の収納部材１００と基本的な構成は同じであるが、角筒状部材に形成される開口部等の構成が異なっているため、この相違点を中心に説明する。尚、実施の形態１と同じ構成については同一の符号を付している。
【００４７】
図９（ａ）、（ｂ）、（ｃ）は、本発明にかかる実施の形態２の収納部材５００の正面図、平面図、及び右側面図である。又、図９（ｄ）は、図９（ｂ）のＸＸ´断面図である。図１０は、本発明にかかる実施の形態２の収納部材５００の側壁２の拡大図である。図１１は、本発明にかかる実施の形態２の収納部材５００の展開図である。
【００４８】
図９〜１１に示すように、本実施の形態２の収納部材５００の側壁２は、実施の形態１の側壁１とは、後面部６０と上面部７０の構成が異なった角筒状部材４を備えている。本実施の形態２では、上面部７０には、開口部３１が形成されていない。又、後面部６０には、半円形状の開口部６１が開口部１１と対向して形成されている。この開口部６１は、図１１の展開図に示すように差込部材８０を形成する切り込み１２３から連続して形成されており、その半円の直径部分６１Ｌが後面部６０と基面部１２０の境界線に沿っている。
【００４９】
又、本実施の形態２の収納部材５００は、実施の形態１と同様に差込部材８０を備えているが、この差込部材８０は、実施の形態１の差込部材５０と異なり切り欠き部が形成されていない。差込部材８０は、切り欠き部が形成されていない点以外は、実施の形態１の差込部材５０と同様の構成であり、根元部８０ｂから先端部８０ａに向かって幅Ｗが除々に広くなっている。
【００５０】
図１１に示すような展開図の状態から、実施の形態１と同様に組み立てることによって、側壁２が形成され、収納部材５００が作成される。
【００５１】
尚、本発明の第１の開口部の一例は、本実施の形態の開口部１１に相当し、本発明の第２の開口部の一例は、本実施の形態の開口部６１に相当する。又、本発明の、根元部を残して、その根元部より後方側が切り起こされて形成された差込部材の一例は、本実施の形態の差込部材８０に相当する。
【００５２】
次に、収納部材５００を廃棄する際について説明する。
【００５３】
この収納部材５００を廃棄のために平らにする際には、図１２に示すように後面部６０に形成されている開口部６１から指を挿入して、差込部材８０を開口部１１から押し出すことにより、側壁２の角筒状構造の保持が開放される。そして、角筒状体を平らにすることによって廃棄の際の嵩を低くすることが出来る。
【００５４】
このように、本実施の形態２では、構成は異なるものの実施の形態１と同様に、従来に比べてより簡単に平らにすることが出来る。
【００５５】
尚、本実施の形態２では、図１０〜図１２に示すように開口部６１は半円形状であり、展開図に示すように差込部材８０を形成する切り込み１２３と連続して形成されているが、図１３に示す開口部６１´のように、側壁２´の後面部６０´の中央に切り込み１２３と独立して円形状に形成されていても良い。
【００５６】
又、本実施の形態２においても、上面部７０の代わりに、実施の形態１と同様に、開口部３１が形成された上面部３０が用いられても良い。このように上面部３０を設けた場合、開口部６１から指を挿入して差込部材８０の先端部８０ａ側を持ち上げた後（図１２参照）、図６において説明したように開口部３１及び開口部１１から指を差し込んで差込部材８０を引き抜くことが出来る。更に、実施の形態２において、差込部材８０の代わりに差込部材５０を用いることによって、切り欠き部５１の縁に指の先を引っかけることが出来るため、より差込部材を開口部１１から引き抜きやすくすることが出来る。
【００５７】
なお、上記説明では、開口部６１は半円形状であり、開口部６１´は円形状であるが、この形状に限らず矩形状であってもよく、要するに指が挿入出来さえすれば良く、限定されるものではない。
【００５８】
又、上記実施の形態では、差込部材５０（切り欠き部５１を除く）及び差込部材８０は等脚台形形状であり、開口部１１は矩形状であるが、これらの形状に限らなくてもよく、要するに差込部材の周縁と開口部１１の周縁との摩擦によって側壁１、２の角筒状構造を保持することが出来さえすればよい。尚、側壁１、２の構造が保持されやすいという点からは、差込部材５０、８０の先端部５０ａ、８０ａの幅が、開口部１１の幅よりも広い方がより好ましい。更に、摩擦力を強めるために、根元部５０ｂ、８０ｂの幅を開口部１１の幅より広げても良いが、開口部１１に差し込みやすく、且つ引き抜きやすくするためには、根元部５０ｂ、８０ｂの幅が開口部１１の幅と同じ程度の長さに設定する方がより好ましい。
【００５９】
尚、図３及び図１０において説明したように、上記実施の形態では根元部５０ｂ、８０ｂは、前面部１０よりも前側に配置されていたが、前面部１０の直下又は後側に形成されていても良い。しかしながら、差込部材５０、８０を開口部１１に挿入しやすいという点からは、前面部１０の前側に根元部５０ｂ、８０ｂが形成されていた方がより好ましい。
【００６０】
又、例えば、実施の形態１では、１つの側壁１に対して差込部材５０と開口部１１の組は１組のみしか設けられていないが、複数組が設けられていても良い。尚、実施の形態２においても同様に側壁２に、差込部材８０と開口部１１の組が複数組設けられていても良い。
【００６１】
又、例えば、実施の形態１では、収納部材１００の対向する２辺に側壁１が設けられていたが、一辺だけであってもよいし、４辺全てに設けられていても良い。また、上記実施の形態では、基面部１２０は平らであったが、物品の形状に合わせて凹凸、切り込み、開口などが形成されていても良い。実施の形態２についても同様に２辺に限らず側壁２が設けられていても良い。
【００６２】
又、上記実施の形態１、２のように物品を収納する載置面１１０を形成していなくてもよく、１つの側壁１又は側壁２近傍部分のみを物品と外箱の間に挿入し、緩衝用部材として用いても良い。尚、このように１つの側壁１、２近傍部分のみを用いる場合、図１４に示すように、根元部５０ｂを前面部１０の前側に形成しようとすると、基面部１２０´が前面部１０から突出させるように形成される必要がある。この突出した部分が１２０ａ´として図示されている。尚、根元部５０ｂを前面部１０の直下又は後側に形成する場合には、突出した部分１２０ａ´を設けなくてもよい。
【００６３】
なお、上記実施の形態１、２では、１枚のダンボールによって形成されているが、切り離された段ボールを接続して作製しても良いし、例えば、側壁１、２の部分のみ一枚の段ボールを用いて作製してもよい。
【００６４】
また、本発明の一枚の部材の一例は、段ボールに相当するが、段ボールに限らず厚紙等であってもよいし、金属で形成されていてもよい。
【００６５】
なお、物品３００としては、例えば、画像形成装置に用いる交換用トナー等の各種部品を挙げることが出来るが、画像形成装置に用いる部品などに限らない。
【産業上の利用可能性】
【００６６】
本発明の部材構造は、廃棄する際に、より簡単に平らにすることが可能な効果を有し、物品の収納用又は緩衝用部材の部材構造として有用である。
【図面の簡単な説明】
【００６７】
【図１】本発明にかかる実施の形態１における収納部材１００及び外箱２００の外観図
【図２（ａ）】本発明にかかる実施の形態１における収納部材１００の正面図
【図２（ｂ）】本発明にかかる実施の形態１における収納部材１００の平面図
【図２（ｃ）】本発明にかかる実施の形態１における収納部材１００の右側面図
【図２（ｄ）】図２（ａ）のＸＸ´断面図
【図３】本発明にかかる実施の形態１における収納部材１００の側壁１近傍の拡大図
【図４】本発明にかかる実施の形態１における収納部材１００の展開図
【図５】本発明にかかる実施の形態１における収納部材１００の作製工程を説明するための側壁１近傍の拡大図
【図６】本発明にかかる実施の形態１における収納部材１００の側壁１を保持状態から開放するための動作を説明するための図
【図７】本発明にかかる実施の形態１の変形例における収納部材の展開図
【図８】本発明にかかる実施の形態１の変形例における収納部材の側壁近傍の拡大図
【図９（ａ）】本発明にかかる実施の形態２における収納部材５００の正面図
【図９（ｂ）】本発明にかかる実施の形態２における収納部材５００の平面図
【図９（ｃ）】本発明にかかる実施の形態２における収納部材５００の右側面図
【図９（ｄ）】図９（ａ）のＸＸ´断面図
【図１０】本発明にかかる実施の形態１における収納部材５００の側壁２近傍の拡大図
【図１１】本発明にかかる実施の形態２における収納部材５００の展開図
【図１２】本発明にかかる実施の形態２における収納部材５００の側壁２を保持状態から開放するための動作を説明するための図
【図１３】本発明にかかる実施の形態２の変形例における収納部材の側壁近傍の拡大図
【図１４】本発明を緩衝材として用いる際の構成を説明するための図
【図１５】従来の収納部材１０００及び外箱２０００の外観図
【図１６】従来の収納部材１０００の側壁１１００近傍の斜視図
【図１７】従来の側壁１１００近傍の展開図
【符号の説明】
【００６８】
１、２  側壁
１０  前面部
１１、６１  開口部
２０、６０  後面部
３０、７０  上面部
４０  下面部
５０  差込部
１００  収納部材
１１０  収納部
１２０  基面部
２００  外箱
３００  物品
【図１】
2010149872.tif 000003
【図２（ａ）】
2010149872.tif 000004
【図２（ｂ）】
2010149872.tif 000005
【図２（ｃ）】
2010149872.tif 000006
【図２（ｄ）】
2010149872.tif 000007
【図３】
2010149872.tif 000008
【図４】
2010149872.tif 000009
【図５】
2010149872.tif 000010
【図６】
2010149872.tif 000011
【図７】
2010149872.tif 000012
【図８】
2010149872.tif 000013
【図９（ａ）】
2010149872.tif 000014
【図９（ｂ）】
2010149872.tif 000015
【図９（ｃ）】
2010149872.tif 000016
【図９（ｄ）】
2010149872.tif 000017
【図１０】
2010149872.tif 000018
【図１１】
2010149872.tif 000019
【図１２】
2010149872.tif 000020
【図１３】
2010149872.tif 000021
【図１４】
2010149872.tif 000022
【図１５】
2010149872.tif 000023
【図１６】
2010149872.tif 000024
【図１７】
2010149872.tif 000025